【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】レンズ装置および光学装置
【手続補正２】
【補正対象書類名】明細書
【補正対象項目名】特許請求の範囲
【補正方法】変更
【補正の内容】
【特許請求の範囲】
【請求項１】
光学手段を電動で駆動する電動駆動手段と、前記光学手段を手動で駆動する手動操作手段と、前記光学手段を電動駆動するための駆動制御信号を送出する制御手段とを有するレンズ装置において、
前記光学手段の電動駆動中に前記手動操作手段による手動操作を手動操作検出手段が検出したとき、前記制御手段は前記光学手段の電動駆動を停止することを特徴とするレンズ装置。
【請求項２】
光学手段を電動で駆動する電動駆動手段と、前記光学手段を手動で駆動する手動操作手段と、前記光学手段の駆動状態を検出する駆動状態検出手段と、前記光学手段を電動駆動するための駆動制御信号を送出する制御手段とを有するレンズ装置において、
前記光学手段の電動駆動中に前記駆動状態検出手段の検出信号が前記駆動制御信号に対して所定値以上離れたとき、前記制御手段は前記光学手段の電動駆動を停止することを特徴とするレンズ装置。
【請求項３】
光学手段を電動で駆動する電動駆動手段と、前記光学手段を電動駆動するときの駆動位置もしくは駆動速度および駆動方向を指定する電動駆動操作手段と、前記光学手段を手動で駆動する手動操作手段と、前記光学手段の駆動状態を検出する駆動状態検出手段と、前記電動駆動操作手段の操作にしたがって駆動制御信号を送出する制御手段とを有するレンズ装置において、
前記光学手段の電動駆動中に前記駆動状態検出手段の検出信号が前記駆動制御信号に対して所定値以上離れたとき、前記制御手段は前記光学手段の電動駆動を停止することを特徴とするレンズ装置。
【請求項４】
前記駆動状態検出手段は、前記光学手段の位置を検出する位置検出手段であることを特徴とする請求項２または３に記載のレンズ装置。
【請求項５】
前記駆動状態検出手段は、前記光学手段の速度を検出する速度検出手段であることを特徴とする請求項２または３に記載のレンズ装置。
【請求項６】
前記制御手段は、前記駆動状態検出手段の検出信号が前記駆動制御信号に対して所定時間以上連続して所定値以上離れているときは前記電動駆動手段による前記光学手段の駆動を停止させることを特徴とする請求項２乃至５に記載のレンズ装置。
【請求項７】
光学手段を電動で駆動する電動駆動手段と、前記光学手段を手動で駆動する手動操作手段と、前記光学手段の駆動方向を検出する駆動方向検出手段と、前記光学手段を電動駆動するための駆動制御信号を送出する制御手段とを有するレンズ装置において、
前記光学手段の電動駆動中に前記駆動方向検出手段の検出信号が前記駆動制御信号に対して駆動方向が異なるとき、前記制御手段は前記光学手段の電動駆動を停止することを特徴とするレンズ装置。
【請求項８】
光学手段を電動で駆動する電動駆動手段と、前記光学手段を電動駆動するときの駆動位置もしくは駆動速度および駆動方向を指定する電動駆動操作手段と、前記光学手段を手動で駆動する手動操作手段と、前記光学手段の駆動方向を検出する駆動方向検出手段と、前記光学手段を電動駆動するための駆動制御信号を送出する制御手段とを有するレンズ装置において、
前記光学手段の電動駆動中に前記駆動方向検出手段の検出信号が前記駆動制御信号に対して駆動方向が異なるとき、前記制御手段は前記光学手段の電動駆動を停止することを特徴とするレンズ装置。
【請求項９】
前記制御手段は、前記駆動方向検出手段の検出信号が前記駆動制御信号に対して所定時間以上連続して駆動方向が異なるときは前記電動駆動手段による前記光学手段の駆動を停止させることを特徴とする請求項７または８に記載のレンズ装置。
【請求項１０】
請求項１乃至９に記載のレンズ装置と前記レンズ装置が装着されるカメラとを有することを特徴とする光学装置。
【手続補正３】
【補正対象書類名】明細書
【補正対象項目名】０００３
【補正方法】変更
【補正の内容】
【０００３】
一方、サーボ・モードとマニュアル・モードの切り替え手段として、モータのＯＮ／ＯＦＦ−スイッチや駆動系の切替用クラッチを用いた形式、あるいは特開平９−１３８３３５号公報のように、モータとレンズの間にスリップ機構を用いることで、クラッチを廃止したものが提案されている。
【手続補正４】
【補正対象書類名】明細書
【補正対象項目名】０００６
【補正方法】変更
【補正の内容】
【０００６】
【課題を解決するための手段】
本発明に係る第１の構成は、光学手段を電動で駆動する電動駆動手段と、前記光学手段を手動で駆動する手動操作手段と、前記光学手段を電動駆動するための駆動制御信号を送出する制御手段とを有するレンズ装置において、前記光学手段の電動駆動中に前記手動操作手段による手動操作を手動操作検出手段が検出したとき、前記制御手段は前記光学手段の電動駆動を停止することを特徴とする。
【手続補正５】
【補正対象書類名】明細書
【補正対象項目名】０００７
【補正方法】変更
【補正の内容】
【０００７】
本発明に係る第２の構成は、光学手段を電動で駆動する電動駆動手段と、前記光学手段を手動で駆動する手動操作手段と、前記光学手段の駆動状態を検出する駆動状態検出手段と、前記光学手段を電動駆動するための駆動制御信号を送出する制御手段とを有するレンズ装置において、前記光学手段の電動駆動中に前記駆動状態検出手段の検出信号が前記駆動制御信号に対して所定値以上離れたとき、前記制御手段は前記光学手段の電動駆動を停止することを特徴とする。
【手続補正６】
【補正対象書類名】明細書
【補正対象項目名】０００８
【補正方法】変更
【補正の内容】
【０００８】
本発明に係る第３の構成は、光学手段を電動で駆動する電動駆動手段と、前記光学手段を電動駆動するときの駆動位置もしくは駆動速度および駆動方向を指定する電動駆動操作手段と、前記光学手段を手動で駆動する手動操作手段と、前記光学手段の駆動状態を検出する駆動状態検出手段と、前記電動駆動操作手段の操作にしたがって駆動制御信号を送出する制御手段とを有するレンズ装置において、前記光学手段の電動駆動中に前記駆動状態検出手段の検出信号が前記駆動制御信号に対して所定値以上離れたとき、前記制御手段は前記光学手段の電動駆動を停止することを特徴とする。
【手続補正７】
【補正対象書類名】明細書
【補正対象項目名】０００９
【補正方法】変更
【補正の内容】
【０００９】
本発明に係る第４の構成は、上記第２または３の構成において、前記駆動状態検出手段は、前記光学手段の位置を検出する位置検出手段であることを特徴とする。
【手続補正８】
【補正対象書類名】明細書
【補正対象項目名】００１０
【補正方法】変更
【補正の内容】
【００１０】
本発明に係る第５の構成は、上記第２または３の構成において、前記駆動状態検出手段は、前記光学手段の速度を検出する速度検出手段であることを特徴とする。
【手続補正９】
【補正対象書類名】明細書
【補正対象項目名】００１１
【補正方法】変更
【補正の内容】
【００１１】
本発明に係る第６の構成は、上記第２乃至５の構成において、前記制御手段は、前記駆動状態検出手段の検出信号が前記駆動制御信号に対して所定時間以上連続して所定値以上離れているときは前記電動駆動手段による前記光学手段の駆動を停止させることを特徴とする。
【手続補正１０】
【補正対象書類名】明細書
【補正対象項目名】００１２
【補正方法】変更
【補正の内容】
【００１２】
本発明に係る第７の構成は、光学手段を電動で駆動する電動駆動手段と、前記光学手段を手動で駆動する手動操作手段と、前記光学手段の駆動方向を検出する駆動方向検出手段と、前記光学手段を電動駆動するための駆動制御信号を送出する制御手段とを有するレンズ装置において、前記光学手段の電動駆動中に前記駆動方向検出手段の検出信号が前記駆動制御信号に対して駆動方向が異なるとき、前記制御手段は前記光学手段の電動駆動を停止することを特徴とする。
【手続補正１１】
【補正対象書類名】明細書
【補正対象項目名】００１３
【補正方法】変更
【補正の内容】
【００１３】
本発明に係る第８の構成は、光学手段を電動で駆動する電動駆動手段と、前記光学手段を電動駆動するときの駆動位置もしくは駆動速度および駆動方向を指定する電動駆動操作手段と、前記光学手段を手動で駆動する手動操作手段と、前記光学手段の駆動方向を検出する駆動方向検出手段と、前記光学手段を電動駆動するための駆動制御信号を送出する制御手段とを有するレンズ装置において、前記光学手段の電動駆動中に前記駆動方向検出手段の検出信号が前記駆動制御信号に対して駆動方向が異なるとき、前記制御手段は前記光学手段の電動駆動を停止することを特徴とする。
【手続補正１２】
【補正対象書類名】明細書
【補正対象項目名】００１４
【補正方法】変更
【補正の内容】
【００１４】
本発明に係る第９の構成は、上記第７または８の構成において、前記制御手段は、前記駆動方向検出手段の検出信号が前記駆動制御信号に対して所定時間以上連続して駆動方向が異なるときは前記電動駆動手段による前記光学手段の駆動を停止させることを特徴とする。
【手続補正１３】
【補正対象書類名】明細書
【補正対象項目名】００１５
【補正方法】変更
【補正の内容】
【００１５】
本発明に係る第１０の構成は、上記第１乃至第９の構成のレンズ装置と前記レンズ装置が装着されるカメラとを有することを特徴とする光学装置である。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２５
【補正方法】変更
【補正の内容】
【００２５】
１１２はレンズ部の制御をリモート・モード（カメラ側の指令により行うモード）で行うか、ローカル・モード（レンズ側の指令により行うモード）で行うかを選択するローカル・リモート選択スイッチ（Ｒ／Ｌ−ＳＷ）であり、１１３はレンズ部１０１で使用するためのデータを保持しておく書き換え可能な不揮発性メモリ（ＥＥＰＲＯＭ）である。
【手続補正１９】
【補正対象書類名】明細書
【補正対象項目名】００７８
【補正方法】変更
【補正の内容】
【００７８】
現在時刻の保存  Ｔｉｎｖ０  ＝  Ｔ１  ・・・・・  （１４）
Ｔ１はステップ３０３での値である。
【手続補正２０】
【補正対象書類名】明細書
【補正対象項目名】０１８５
【補正方法】変更
【補正の内容】
【０１８５】
ステップ２２０９で、式（２３）が不成立の場合、デマンド操作量が十分でないとして、マニュアル・モードを解除しないため、ステップ２２１０でフラグｆＲｅａｄｙＬｅｎｓＣｍｄ＝０として、サブルーチンＬｏｃａｌＣｍｄＩｎを終了する。
【手続補正２１】
【補正対象書類名】明細書
【補正対象項目名】０１８８
【補正方法】変更
【補正の内容】
【０１８８】
Ｌｔａｒｇｅｔ  ≧  ０  ・・・・・  （３０）
ステップ２９０１で、式（３０）が成立しなかった場合、下限を越えているためステップ２９０３にて、停止目標位置Ｌｔａｒｇｅｔに０をセットし、サブルーチンＬｔａｒｇｅｔＬｍｔを終了する。
【手続補正２２】
【補正対象書類名】明細書
【補正対象項目名】０２１２
【補正方法】変更
【補正の内容】
【０２１２】
ここで、今回のような通信機能をもつレンズが通信機能をもたないカメラに付いた場合について説明する。
【手続補正２３】
【補正対象書類名】明細書
【補正対象項目名】０２３８
【補正方法】変更
【補正の内容】
【０２３８】
【発明の効果】
本発明によれば、電動駆動手段による電動駆動から手動操作手段による手動操作のために、光学手段の動きを止めるようなことが起こると、光学手段は所定時間内に所定の位置に移動できなかったり、所定の速度での駆動ができなかったり、あるいは所定の方向へ駆動されなかったりするので、光学手段の電動駆動中に手動操作手段による手動操作を手動操作検出手段が検出したとき、制御手段は光学手段の電動駆動を停止することで、確実に電動駆動中における光学手段の駆動状況を検出でき、この検出結果から光学手段の電動駆動から手動操作への切り替えをすることができるようになった。